(57)【要約】【課題】船尾部分の船体を痩せた船型に維持しつつ、非常用消火ポンプを低い位置に配置することができる船舶を提供する。【解決手段】船尾隔壁４よりも船尾２ａ側に非常用消火ポンプ６を設置する船舶１において、非常用消火ポンプ６を設置する設置区画７を、非常用消火ポンプ６が配置されるポンプ設置エリア８と、非常用消火ポンプ６の保守点検を行うための作業エリア９とを有する構成とし、ポンプ設置エリア８の床面を作業エリア９の床面よりも下方に配置する。【選択図】図４
2018149920.tif 000002
【特許請求の範囲】
【請求項１】
船尾隔壁よりも船尾側に非常用消火ポンプを設置する船舶において、前記非常用消火ポンプを設置する設置区画が、前記非常用消火ポンプが配置されるポンプ設置エリアと、前記非常用消火ポンプの保守点検を行うための作業エリアとを有して構成されており、前記ポンプ設置エリアの床面が前記作業エリアの床面よりも下方に配置されていることを特徴とする船舶。
【請求項２】
前記ポンプ設置エリアが前記設置区画の船首側に配置されている請求項１に記載の船舶。
【請求項３】
前記設置区画が船体中心線に対して片舷側のみに設けられており、前記ポンプ設置エリアが前記設置区画の前記船体中心線側に配置されている請求項１または２に記載の船舶。
【請求項４】
前記ポンプ設置エリアの床面が、バラスト喫水線よりも上方に配置され、前記床面と前記バラスト喫水線との垂直距離がプロペラ直径の０．４５倍より小さい請求項１〜３のいずれか１項に記載の船舶。
【請求項５】
前記ポンプ設置エリアの床面が、バラスト喫水線と同じ高さまたはバラスト喫水線より下方に配置されている請求項１〜３のいずれか１項に記載の船舶。
【請求項６】
前記作業エリアの床面の少なくとも一部が船首側から船尾側に向かって上方に傾斜する傾斜面で構成されている請求項１〜５のいずれか１項に記載の船舶。
【発明の詳細な説明】
【技術分野】
【０００１】
本発明は、船舶に関し、より詳細には、船尾部分の船体形状を痩せた船型に維持しつつ、非常用消火ポンプを低い位置に配置することができる船舶に関する。
【背景技術】
【０００２】
従来の船舶においては、機関室外の船倉などの消火を行うために消火ポンプを用いる場合には、その消火ポンプは機関室内に配置されている。これに対して、機関室内の消火を行うために、局所消火システム等が配置されている。しかし、機関室内の火災が燃え広がった時には、機関室内の消火装置だけでは消火が困難になるので、国際的な条約である海上人命安全条約（ＳＯＬＡＳ）等により非常用消火ポンプの設置が義務付けられている。この非常用消火ポンプは、機関室に火災が発生した状況でも稼働できるように、機関室外に配置される。
【０００３】
この非常用消火ポンプの配置に際しては、火災時に迅速かつ確実な作動が要求され、また、常に良好な状態であることが要求されるため、作業員が入ってメンテナンスするためのスペースが必要であるので、設置区画を設ける。しかも、非常用消火ポンプの機能は、非常時にいかなる喫水においても海水を揚程できることが要求されるため、非常用消火ポンプの容量を上げずに済むように、海面から最も近くなる位置、即ち、設置区画の底の床面に配置される。
【０００４】
また、ＳＯＬＡＳ等の規定を考慮して、設置区画を船尾隔壁より後方に配置することが考えられる。しかしながら、この船尾部分の船体形状においては、船体形状の研究の進展に伴い、船舶の性能の評価上で最重要項目とされる船速との関係を考慮して、機関区画よりも後方の船体形状は、満載喫水線以下の船幅を狭くし、これに連続する上方の船体形状も痩せさせる傾向にある。
【０００５】
そのため、図８および図９に示すように、従来の船舶１Ｘにおいては、船尾２ａが痩せた船型を維持しながら、船尾隔壁４よりも後方の比較的狭い船体２内部に、非常用消火ポンプ６を設置するために、一般的な床面がフラットな直方体形状の設置区画７Ｘを設けようとすると、この設置区画７Ｘでは設置床面積を確保するためにバラスト喫水線Ｗｂから上方に離れた位置に配置せざるを得ず、非常用消火ポンプ６が配置される床面がバラスト喫水線Ｗｂよりも高くなって、非常用消火ポンプ６とバラスト喫水線Ｗｂとの距離が遠くなってしまう。その結果、非常用消火ポンプ６の実揚程が大きくなり、必要吸込揚程（サクションヘッド）が不足に陥り易くなるという問題が生じる。そのため、非常用消火ポンプ６の必要吸込揚程の観点から、設置区画７Ｘの底高さは所定の高さより低い高さに設定する必要がある。
【０００６】
一方で、従来の直方体形状の設置区画７Ｘの床面をバラスト喫水線Ｗｂ付近に配置しようとすると、船尾部分の船底面２ｂを低くするか、設置区画７Ｘの大きさに合わせて船尾部分を肥大化せざるを得ない。しかしながら、船尾部分の船底面２ｂを低くすると、船底面２ｂとプロペラ３とのクリアランスを十分に確保することが難しくなるので、騒音や振動の面で船内環境に悪影響を及ぼす可能性がある。また、船尾部分を肥大化させると、推進性能が悪化し、船速の確保が難しくなるという問題が生じる。これらの問題から、従来では、非常用消火ポンプの設置区画を船尾隔壁よりも後方に配置することは推進性能や騒音、振動面で船舶が十分な性能を確保できない配置であると考えられてきた。
【０００７】
そのため、従来では、これらの問題を解決するための非常用消火ポンプへの給水システムや非常用消火ポンプの配置等に関して種々の提案がなされている。例えば、機関室及びポンプ室等の火災を消火するための水を、船内または船上に設置されたタンクから非常用消火ポンプに供給する非常用消火ポンプへの給水システムが提案されている（例えば、特許文献１参照）。しかしながら、船内タンク若しくは船上タンク等の給水システムを設置するスペースが必要となるという問題がある。
【０００８】
また、船舶の機関区域内に所定の要件を満たす防火構造の区画を設けて、この区画内に機関区域を消火するための非常用消火ポンプを配置し、この非常用消火ポンプの吸込口の位置をバラスト喫水線の近く又は下方に配置する船舶が提案されている（例えば、特許文献２参照）。しかしながら、非常用消火ポンプを機関室外に設ける場合については触れられていない。
【０００９】
また、非常用消火ポンプを機関室の船側側の外部に配置する船舶が提案されている（例えば、特許文献３参照）。しかしながら、この方法は、非常用消火ポンプを機関室の船側側の外部に配置するため、従来、機関室の船側側に配置していた燃料タンクやバラストタンク等のスペースが減ってしまうという問題がある。
【先行技術文献】
【特許文献】
【００１０】
【特許文献１】特開２００７−１４３７７
【特許文献２】特許４８５４４９５号公報
【特許文献３】特許５８１９７５５号公報
【発明の概要】
【発明が解決しようとする課題】
【００１１】
本発明は、上記の状況を鑑みてなされたものであり、その目的は、船尾部分の船体を痩せた船型に維持しつつ、非常用消火ポンプを低い位置に配置することができる船舶を提供することにある。
【課題を解決するための手段】
【００１２】
上記のような目的を達成するための本発明の船舶は、船尾隔壁よりも船尾側に非常用消火ポンプを設置する船舶において、前記非常用消火ポンプを設置する設置区画が、前記非常用消火ポンプが配置されるポンプ設置エリアと、前記非常用消火ポンプの保守点検を行うための作業エリアとを有して構成されており、前記ポンプ設置エリアの床面が前記作業エリアの床面よりも下方に配置されていることを特徴とする。
【００１３】
この構成によれば、非常用消火ポンプを設置する設置区画において、ポンプ設置エリアの床面が作業エリアの床面よりも下方に配置されている構成にすることで、比較的広いスペースを要する作業エリアの床面を比較的高い位置に配置しつつ、非常用消火ポンプが配置されるポンプ設置エリアの床面をバラスト喫水線により近い低い位置に配置することが可能になる。そして、両者の床面の高さを変えることで作業エリアの下方には窪んだ空間ができるので、この空間を利用することで、非常用消火ポンプを低い位置に配置しつつ、船尾部分の船体を痩せた船型にすることが可能となる。これにより、プロペラ直上の船底面の低下と船体の肥大化を回避して、船底面とプロペラとのクリアランスを十分に確保するとともに、推進性能の高い船尾形状を有する船舶にすることができる。
【００１４】
上記の船舶において、前記ポンプ設置エリアが前記設置区画の船首側に配置されている構成にすると、設置区画の船尾側が切り欠かれた形状になるので、船首側から船尾側に痩せていく船尾部分の船体を大きく変化させる必要がなくなる。
【００１５】
上記の船舶において、前記設置区画が船体中心線に対して片舷側のみに設けられており、前記ポンプ設置エリアが前記設置区画の前記船体中心線側に配置されている構成にすると、ポンプ設置エリアは比較的スペースに余裕がある船体中央付近に配置されるので、非常用消火ポンプと非常用ポンプに接続される海水取入口（シーチェスト）を低い位置に配置し易くなる。さらに、設置区画の船側側が切り欠かれた形状となるので、船尾部分の船体を痩せた船型のままに維持し易くなる。
【００１６】
上記の船舶において、前記ポンプ設置エリアの床面が、バラスト喫水線よりも上方に配置され、前記床面と前記バラスト喫水線との垂直距離がプロペラ直径の０．４５倍より小さい構成にすると、運航上考えられる積付状態の喫水においても問題なくポンプ吸込位置を水面下とすることができる。
【００１７】
また、他方で、上記の船舶において、前記ポンプ設置エリアの床面が、バラスト喫水線と同じ高さまたはバラスト喫水線より下方に配置されている構成にすると、上記よりもさらに非常用消火ポンプと海水面との垂直距離を減少できるので、吸込配管の圧力損失を減らして、ポンプの必要吸込揚程を減少することができる。
【００１８】
上記の船舶において、前記作業エリアの床面の少なくとも一部が船首側から船尾側に向かって上方に傾斜する傾斜面で構成されていると、作業エリアの船首側から船尾側に向かって上方に傾斜する傾斜面に合わせて船尾部分の船体をより痩せた船型のままに維持することが可能になる。
【００１９】
本発明によれば、上記の効果を発揮できるので、非常用消火ポンプに求められるバラスト状態における水面からの必要距離を従来と同程度に確保することで、機関室火災時の安全性を従来技術の船舶と同様に保つことができる。また、船尾において、プロペラと船底面とのクリアランスを大きく確保することで、船体の振動や騒音を抑制することができ、船内環境を良好に維持できる。さらに、船尾の船型を痩せさせることができるため、推進性能の改善となり、ＣＯ２排出量削減が可能となる。その上、設置区画の形状が比較的単純であるため、工作性を過度に損なうことがない。
【００２０】
そして、上記の構成は、多くの船舶に対して有効であるが、特に推進効率や燃費において高効率での運航が求められる船尾形状を痩せさせたばら積み貨物船（バルクキャリアー）やタンカー船において船尾形状を痩せさせ推進性能の改善を図ることができるため、より大きな効果を発揮できる。
【発明の効果】
【００２１】
本発明の船舶によれば、船尾隔壁よりも船尾側に非常用消火ポンプを設置する際に、非常用消火ポンプを配置する設置区画において、ポンプ設置エリアの床面を作業エリアの床面よりも下方に配置した構成にすることで、船尾部分の船体を痩せた船型に維持しつつ、非常用消火ポンプの吸込口も低い位置に配置することが可能となる。従って、この構成を採用することにより、船尾隔壁よりも船尾側に非常用消火ポンプを設置することが容易にできるようになる。
【図面の簡単な説明】
【００２２】
【図１】本発明に係る第１の実施の形態の船舶の設置区画の構成及び配置を模式的に示す船尾側の側断面図である。
【図２】図１の船舶を船尾側から見た横断面図である。
【図３】図１の船舶を上側から見た平断面図である。
【図４】図１の船舶の設置区画を模式的に示す斜視図である。
【図５】本発明に係る第２の実施の形態の船舶の設置区画の構成及び配置を模式的に示す船尾側の側断面図である。
【図６】図５の船舶の設置区画を模式的に示す斜視図である。
【図７】本発明に係る設置区画の別の実施の形態を模式的に示す斜視図である。
【図８】従来の船舶の設置区画の構成及び配置を模式的に示す側断面図である。
【図９】図８の船舶を船尾側から見た横断面図である。
【発明を実施するための形態】
【００２３】
以下、本発明に係る実施の形態の船舶を図面を参照しながら説明する。図中のＸ軸は船舶の前後方向（船長方向）を示し、Ｙ軸は船舶１の左右方向（船幅方向）を示し、Ｚ軸は船舶の高さ方向（深さ方向）を示している。
【００２４】
図１に示すように、本発明に係る第１の実施の形態の船舶１は、船尾隔壁４よりも船尾２ａ側の船体２内に非常用消火ポンプ６を設置する設置区画７が設けられる。この実施の形態では、船尾隔壁４の船首側に機関室５が設けられており、機関室５の後部隔壁５ａが船尾隔壁４を構成している。設置区画７の後部隔壁７ａは、プロペラ３の先端の回転円位置よりも船首側に配置されている。
【００２５】
図２および図３に示すように、この実施の形態では、設置区画７を船体中心線ＣＬに対して右舷側のみに設けている。しかしながら、本発明では、この構成に限定されず、設置区画７を船体中心線ＣＬに対して左舷側のみに設ける構成にすることもできるし、船体中心線ＣＬの部分に縦通隔壁が設けられていないときには、設置区画７を船体中心線ＣＬを跨ぐように船体中央部分に設ける構成にすることもできる。
【００２６】
図４に示すように、設置区画７は、非常用消火ポンプ６が配置されるポンプ設置エリア８と、非常用消火ポンプ６の保守点検を行うための作業エリア９とを有して構成されている。そして、ポンプ設置エリア８の床面（細かいハッチング）が作業エリア９の床面（荒いハッチング）よりも下方に配置されている。
【００２７】
より具体的には、この実施の形態の設置区画７は、上から見て四角形状を有している。そして、四角形状の床面を有するポンプ設置エリア８が、設置区画７の船首側で、かつ、船体中心線ＣＬ側の角の位置に配置されている。そして、このポンプ設置エリア８を除いた設置区画７の船尾側と船側側の位置に、Ｌ字形状の床面を有する作業エリア９が配置されている。ポンプ設置エリア８と作業エリア９の床面はそれぞれ略水平な床面で構成されていて、作業エリア９の床面とポンプ設置エリア８の床面との間に段差が設けられている。そして、作業エリア９の下方にポンプ設置エリア８としての窪んだ空間ができている。
【００２８】
即ち、この設置区画７は、図４に示すように、直方体(Ｗ１×Ｌ１×（Ｈ１−Ｈ２）)の角部分に下方に突出する直方体形状（Ｗ２×Ｌ２×Ｈ２）の凸部がポンプ設置エリア８として設けられた形状になっている。言い換えると、直方体（Ｗ１×Ｌ１×Ｈ１）から２つの直方体、船尾側：（Ｗ１×（Ｌ１−Ｌ２）×Ｈ２、及び船側側：（Ｗ１−Ｗ２）×Ｌ２×Ｈ２）を切欠いたような形状になっている。
【００２９】
設置区画７の内部には通行用梯子１０が設けられており、作業員はこの通行用梯子１０を利用して作業エリア９に入り、作業エリア９においてポンプ設置エリア８に配置された非常用消火ポンプ６の保守点検やメンテナンスが行えるようになっている。
【００３０】
設置区画７の寸法は、船舶１の船体２の大きさや船体形状に応じて適宜決定できるが、設置区画７の前後方向の長さ寸法Ｌ１は例えば２ｍ〜４ｍ程度、設置区画７の左右方向の幅寸法Ｗ１は例えば２ｍ〜４ｍ程度である。ポンプ設置エリア８は、設置区画７の平面形状の面積の例えば２０％〜５０％程度の床面積を有して構成される。
【００３１】
作業エリア９の床面とポンプ設置エリア８の床面との垂直距離Ｈ２（段差の高さ）は、例えば０．５ｍ〜２ｍ程度である。このように、作業エリア９の床面とポンプ設置エリア８の床面との垂直距離Ｈ２を０．５ｍ〜２ｍ程度にすると、ポンプ設置エリア８の床面を低い位置に配置しつつ、非常用消火ポンプ６の保守点検も行い易い設置区画７にすることができる。
【００３２】
図１および図２に示すように、この実施の形態では、ポンプ設置エリア８の床面がバラスト喫水線Ｗｂより上方に配置され、ポンプ設置エリア８の床面とバラスト喫水線Ｗｂとの垂直距離はプロペラ直径の０．４５倍より小さい。そして、ポンプ設置エリア８の下方に、非常用消火ポンプ６のための海水取入口１１が設けられている。海水取入口１１は、プロペラシャフトセンターＰｃよりも下方に配置されている。非常用消火ポンプ６の吸込口６ａと海水取入口１１は吸込配管１２で接続されている。
【００３３】
このように、本発明に係る船舶１では、非常用消火ポンプ６が設置される設置区画７において、ポンプ設置エリア８の床面を作業エリア９の床面よりも下方に配置することで、比較的広いスペースを要する作業エリア９の床面を比較的高い位置に配置しつつ、非常用消火ポンプ６が配置されるポンプ設置エリア８の床面をバラスト喫水線Ｗｂにより近い低い位置に配置することが可能になる。そして、両者の床面の高さを変えることで作業エリア９の下方には窪んだ空間ができるので、この空間を利用することで、非常用消火ポンプ６を低い位置に配置しつつ、船尾部分の船体２を痩せた船型にすることが可能となる。
【００３４】
即ち、言い換えると、船尾部分の船体２を痩せた船型に維持しつつ、非常用消火ポンプ６の吸込口６ａを低い位置に配置することが可能となる。これにより、プロペラ直上の船底面２ｂの低下と船体２の肥大化を回避して、船底面２ｂとプロペラ３とのクリアランスを十分に確保するとともに、推進性能の高い船尾形状を有する船舶１にすることができる。そして、本発明にかかる船舶１の構成を採用することにより、船尾隔壁４（機関室５の後部隔壁５ａ）よりも船尾側に非常用消火ポンプ６を設置することが容易にできるようになる。
【００３５】
また、この実施の形態のように、ポンプ設置エリア８を設置区画７の船首側に配置することで、設置区画７の船尾側が切り欠かれた形状になるので、船首側から船尾側に痩せていく、船尾部分の船体２を大きく変化させる必要がなくなる。それ故、船尾部分の船体２を痩せた船型に維持しつつ、非常用消火ポンプ６を低い位置に配置し易くなる。
【００３６】
さらに、設置区画７を船体中心線ＣＬに対して片舷側のみに設け、ポンプ設置エリア８を設置区画７の船体中心線ＣＬ側に配置することで、ポンプ設置エリア８を比較的スペースに余裕がある船体中央付近に配置することができるので、非常用消火ポンプ６と非常用ポンプ６に接続される海水取入口１１を低い位置に配置し易くなる。さらに、設置区画７の船側側が切り欠かれた形状となるので、船尾２ａを痩せた船型のままに維持し易くなる。
【００３７】
また、ポンプ設置エリア８の床面をバラスト喫水線Ｗｂより上方に配置し、かつ、ポンプ設置エリア８の床面とバラスト喫水線Ｗｂとの垂直距離をプロペラ直径の０．４５倍より小さい配置とすると運航上考えられる積付状態の喫水においても問題なくポンプ吸込口６ａの位置を水面下とすることができる。また、ポンプ設置エリア８の床面と船底面２ｂとの距離を保つことができるため工作性に有利となり、また船底面２ｂとプロペラ間のクリアランスを十分に確保することができ、騒音、振動を抑えることができる。
【００３８】
さらに、より好ましくはポンプ設置エリア８の床面とバラスト喫水線Ｗｂとの垂直距離がプロペラ直径の０．３５倍より小さくなるように設置区画７を配置することが望ましい。ポンプ設置エリア８の床面とバラスト喫水線Ｗｂとの垂直距離をプロペラ直径の０．３５倍より小さくすることで、上述の作用効果をさらに高めることができる。
【００３９】
また、ポンプ設置エリア８の床面をバラスト喫水線Ｗｂ以下に配置することもできる。この場合には上記よりもさらに、非常用消火ポンプ６と海水面との垂直距離を減少できるので、吸込配管１２の圧力損失を減らして、ポンプの必要吸込揚程を減少することができる。即ち、ポンプ設置エリア８の床面をバラスト喫水線Ｗｂ以下に配置すると、バラスト喫水時（軽荷喫水時）においても非常用消火ポンプ６の吸込口６ａが水面以下になるので、船舶１が揺動した場合にも、非常用消火ポンプ６の必要吸込揚程が少ないか押し込みとなる。従って、非常用消火ポンプ６の吸引力に余裕を持たせることができ、これにより、海水取入口１１を低い位置に配置することが可能となる。その結果、運航上考えられる積付状態の喫水においても問題なくポンプ吸込位置を水面下とすることができる。
【００４０】
図５に、本発明に係る第２の実施の形態の船舶１Ａを示す。この船舶１Ａでは、設置区画７Ａの作業エリア９の床面の一部が船首側から船尾側に向かって上方に傾斜する傾斜面９ａで構成されている。その他の構成は、先に示した実施の形態と同じである。
【００４１】
具体的には、図６に示すように、この設置区画７Ａは、ポンプ設置エリア８よりも船尾側の作業エリア９の床面の一部が、船首側から船尾側に向かって上方に傾斜する傾斜面９ａで構成されている。ポンプ設置エリア８の船側側に位置する作業エリア９は略水平な床面９ｂで構成されている。即ち、この設置区画７Ａは直方体（Ｗ1×Ｌ１×Ｈ１）から２つの直方体、船尾側：（Ｗ１×（Ｌ１−Ｌ２）×Ｈ２、及び船側側：（Ｗ１−Ｗ２）×Ｌ２×Ｈ２）を切欠き、さらにそのうち船尾側の形状は三角柱（Ｗ1×Ｈ３×（Ｌ１−Ｌ２）×１／２）で切り抜き、船首側から船尾側にかけて底高さが高くなるような形状になっている。
【００４２】
この実施の形態のように、作業エリア９の床面の少なくとも一部を船首側から船尾側に向かって上方に傾斜する傾斜面９ａで構成すると、作業エリア９の傾斜面９ａに合わせて船尾部分の船体２をより痩せた船型のままに維持することが可能になる。それ故、船尾部分の船体２を痩せた船型に維持しつつ、非常用消火ポンプ６をより低い位置に配置し易くなる。
【００４３】
作業エリア９の床面を傾斜面９ａで構成する場合には、水平に対する傾斜面９ａの傾斜角度（勾配）θを例えば２度以上１８度以下に設定するとよい。傾斜面９ａの傾斜角度θを２度以上にすることで、船尾部分の船体２を痩せた船型のままに維持するには有利になる。また、傾斜面９ａの傾斜角度θを１８度より大きくすると作業エリア９の勾配がきつくなり足場を付けたとしても作業スペースが減少してしまうことが考えられるが、傾斜面９ａの傾斜角度θを１８度以下にすることで活用可能な作業スペースを確保することができる。
【００４４】
設置区画７は、上記の実施の形態の他にも例えば、図７の（ａ）〜（ｃ）に示すような構成にすることもできる。
【００４５】
図７の（ａ）に示す設置区画７Ｂは、上から見て四角形状を有しており、設置区画７Ｂの船首側の全幅に四角形状の床面を有するポンプ設置エリア８が配置されている。そして、ポンプ設置エリア８を除いた設置区画７の船尾側の全幅に四角形状の床面を有する作業エリア９が配置されている。作業エリア９とポンプ設置エリア８の床面はそれぞれ略水平な床面で構成されていて、作業エリア９の床面とポンプ設置エリア８の床面との間に段差が設けられている。そして、作業エリア９の下方には窪んだ直方体形状の空間ができている。
【００４６】
即ち、この設置区画７Ｂは、直方体の船首側の全幅に下方に突出する直方体形状の凸部が設けられた形状になっている。言い換えると、直方体から船尾側の下部を１つの直方体で切欠いたような形状となっている。
【００４７】
図７の（ｂ）に示す設置区画７Ｃは、上から見て四角形状を有しており、設置区画７Ｃの中央部分と船体中心線側および船首側の一部分に上から見てＬ字形状の床面を有するポンプ設置エリア８が配置されている。そして、ポンプ設置エリア８を除いた位置に、上から見てＵ字状の床面を有する作業エリア９が配置されている。作業エリア９とポンプ設置エリア８の床面はそれぞれ略水平な床面で構成されていて、作業エリア９の床面とポンプ設置エリア８の床面との間に段差が設けられている。そして、作業エリア９の下方には上から見てＵ字状の切り欠かれた空間ができている。
【００４８】
即ち、この設置区画７Ｃは、直方体に下方に突出する上から見てＬ字形状の凸部が設けられた形状になっている。言い換えると、直方体から３つの直方体を切欠いたような形状となっている。
【００４９】
設置区画７Ｃのポンプ設置エリア８の床面をＬ字型形状とすることで、非常用消火ポンプ６の設置に必要な面積を確保しつつ、ポンプ設置エリア８の前端位置における幅方向の長さを短くすることができる。これにより、ポンプ設置エリア８の前端位置において、ポンプ設置エリア８と船尾部分の船底面２ｂとの間の距離を確保できるため、その間に入る構造部材の配置スペースの確保が可能となる。特に、ポンプ設置エリア８の前端位置が船尾隔壁に位置する場合においてこの形状は有効である。
【００５０】
図７の（ｃ）に示す設置区画７Ｄは、上から見て四角形状を有しており、設置区画７Ｄの船首側であり、かつ、船体中心線ＣＬ側の角の位置に四角形状の床面を有するポンプ設置エリア８が配置されている。ポンプ設置エリア８の床面は略水平な床面で構成されている。ポンプ設置エリア８の船側側には、四角形状の略水平な床面で構成された第１の作業エリア９が設けられており、この第１の作業エリア９とポンプ設置エリア８の船尾側にさらに一段上方に位置する略水平な床面で構成された第２の作業エリア９が設けられている。
【００５１】
この設置区画７Ｄでは、第１の作業エリア９の床面とポンプ設置エリア８の床面との間に段差が設けられており、さらに、第１の作業エリア９の床面と第２の作業エリア９の床面との間に段差が設けられている。即ち、この設置区画７Ｄは、船首側から船尾側にかけて床面の高さ位置が段階的に高くなるような形状になっている。言い換えると、直方体の下方から高さと幅の異なる２つの直方体を切欠き、船首側から船尾側にかけて底高さが階段状に高くなるような形状になっている。
【００５２】
この設置区画７Ｄのように、作業エリア９の床面の少なくとも一部に船首側の床面よりも船尾側の床面が上方に位置するような段差を設けた構成にすると、作業エリア９の段差に合わせて船尾部分の船体２を痩せた船型のままに維持することがより容易に可能になる。それ故、船尾部分の船体２を痩せた船型に維持しつつ、非常用消火ポンプ６をより低い位置に配置し易くなる。
【００５３】
以上のように、本発明では、非常用消火ポンプ６に求められるバラスト状態における水面からの必要距離を従来と同程度に確保することで、機関室５が火災したときの安全性を従来技術の船舶１Ｘと同様に保つことができる。また、船尾２ａにおいて、プロペラ３と船底面２ｂとのクリアランスを大きく確保することで、船体２の振動や騒音を抑制することができ、船内環境を良好に維持できる。さらに、本発明では船尾部分の船体２ａの船型を痩せさせることができるため、推進性能の改善となり、ＣＯ２排出量削減が可能となる。その上、設置区画７（７Ａ〜７Ｄ）の形状が比較的単純であるため、工作性を過度に損なうことがない。
【００５４】
そして、本発明の構成は、多くの船舶に対して有効であるが、特に高効率での運航が求められる船尾形状を痩せさせたばら積み貨物船（バルクキャリアー）やタンカー船において船尾形状を痩せさせ推進性能の改善を図ることができるため、より大きな効果を発揮できる。
【００５５】
なお、設置区画７（７Ａ〜７Ｄ）の形状や配置は、上記の実施の形態に限定されず、船舶１（１Ａ）の船体形状や他の区画の配置等に応じて適宜決定することができる。また、上から見たときの作業エリア９やポンプ設置エリア８の形状は工作性を考慮すると四角形状であることが好ましいが、四角形状に限定されず、他にも例えば、三角形状やその他の多角形状、円形状、楕円形状など様々な構成にすることができる。
【符号の説明】
【００５６】
１、１Ａ  船舶
１Ｘ  従来の船舶
２  船体
２ａ  船尾
２ｂ  船底面
３  プロペラ
４  船尾隔壁
５  機関室
５ａ  （機関室の）後部隔壁
６  非常用消火ポンプ
６ａ  （非常用消火ポンプの）吸込口
７、７Ａ〜７Ｄ  設置区画
７ａ  （設置区画の）後部隔壁
７Ｘ  従来の設置区画
８  ポンプ設置エリア
９  作業エリア
１０  通行用梯子
１１  海水取入口（シーチェスト）
１２  吸込配管
Ｗｂ  バラスト喫水線
ＣＬ  船体中心線
Ｐｃ  プロペラシャフトセンター
【図１】
2018149920.tif 000003
【図２】
2018149920.tif 000004
【図３】
2018149920.tif 000005
【図４】
2018149920.tif 000006
【図５】
2018149920.tif 000007
【図６】
2018149920.tif 000008
【図７】
2018149920.tif 000009
【図８】
2018149920.tif 000010
【図９】
2018149920.tif 000011